(57)【要約】【課題】端子側に簡単な突起を追加形成することで、絶縁基板に対して所要の引抜強度が確保できるように端子支持構造を改良する。【解決手段】電磁石部,可動接触子,固定接触子を絶縁基板９上に搭載し、該絶縁基板を貫通して前記各部品の端子（例えば、固定接触子４の端子導体）を基板の裏面側に引き出してソケットに差し込んで使用するプラグイン形電磁継電器で、前記端子を絶縁基板に開口した角穴９ａに圧入して組立位置に固定支持するようにしたものにおいて、前記端子に対して、その側縁に絶縁基板の角穴内面に食い込んで係合する圧入突起４ｂを形成するとともに、さらに板面上には端子を角穴に圧入した組立状態で絶縁基板の裏面側に露出して角穴の開口縁に係合する位置に第２の突起９ｃを形成するものとし、この第２の突起を、端子の先端側に向けてテーパー面を形成した台形突起とする。【選択図】        図１
2007073250.tif 000002
【特許請求の範囲】
【請求項１】
電磁石部,可動接触子,固定接触子を絶縁基板上に搭載し、該絶縁基板を貫通して前記各部品の端子を基板の裏面側に引き出した組立構造になるプラグイン形電磁継電器であって、前記端子を絶縁基板に開口した角穴に圧入して組立位置に固定支持したものにおいて、
板状になる前記端子に対して、その側縁に絶縁基板の角穴内面に食い込んで係合する圧入突起を形成するとともに、さらに板面上には端子を角穴に圧入した組立状態で絶縁基板の裏面側に露出して角穴の開口縁に係合する位置に第２の突起を形成したことを特徴とするプラグイン形電磁継電器。
【請求項２】
請求項１記載の電磁継電器において、第２の突起が端子の先端側に向けてテーパー面を形成した台形突起であることを特徴とするプラグイン形電磁継電器。
【発明の詳細な説明】
【技術分野】
【０００１】
本発明は、プラグイン形電磁継電器に関し、詳しくは継電器の絶縁基板から裏面側に引き出して取付ソケットに差し込み接続する端子の支持構造に係わる。
【背景技術】
【０００２】
頭記のプラグイン形電磁継電器として、電磁石部,可動接触子,固定接触子を絶縁基板上に搭載し、該絶縁基板を貫通して前記各部品の端子を基板の裏面側に引き出し、実使用時に前記端子を取付ソケットに差し込んでプラグイン接続するようにした組立構造のものが知られている（例えば、特許文献１参照）
次に、前記プラグイン形電磁継電器の全体構造を図２に、またその従来における端子支持構造を図３に示す。図２において、１は電磁石、２は電磁石１のアーマチュアに取付けた可動接触子（板ばね材）、３はアーマチュアの復帰ばね、４，５は可動接触子２を挟んで可動接点２ａに対向配置した常閉固定接触子，および常開固定接触子、４ａ，５ａはその固定接点、６はリード線７を介して可動接触子２に接続した共通端子、８は電磁石１のコイル端子、９は絶縁基板（ジアリルフタレート樹脂，フェノール樹脂などの熱硬化樹脂成形品）、１０はカバー（透明樹脂）である。ここで、常閉固定接触子４，常開固定接触子５はファストン端子を兼ねた平角導体で作られており、同様な共通端子６およびコイル端子８とともに絶縁基板９を貫通してその先端端子部が基板の裏側へ突き出すように装着されている。なお、上記電磁継電器の動作は周知であり、ここではその説明は省略する。
【０００３】
次に、前記の固定接触子４を例に、従来の電磁継電器の端子支持構造およびその組立方法を図３（ａ）〜（ｃ）で説明する。まず絶縁基板９には、図３（ｂ）で示すように前記した各端子の配列に合わせて端子導体の断面形状に相応した角穴９ａを開口しておく。一方、固定接触子４の端子導体には、図３（ｃ）で示すように左右側縁の所定位置（端子の組立状態で絶縁基板９の角穴９ａの中に挿入される部分）に高さが０．１mm程度の山形の圧入突起４ｂをプレス加工などにより形成しておき、絶縁基板９の角穴９ａを下穴としてここに端子を次記方法により圧入して端子を組立位置に固定支持するようにしている。
すなわち、端子の組立工程では、まず絶縁基板９を加熱炉に搬入して基板を樹脂の熱変形温度（ジアリルフタレート樹脂の熱変形温度：１８０℃）に加熱し、加熱炉から取り出した直後に、素早く図２に示した固定接触子４，５，共通端子６，コイル端子８を基板の上面側から端子先端を下に向けて角穴９ａに挿入し、端子先端が基板９の裏面から所定長さ寸法突き出す位置まで押し込む。これにより、前記突起４ｂが角穴９ａを押し広げるように圧入され、その後に絶縁基板９が常温に戻ると突起４ｂの先端が角穴９の内面に食い込んだ状態で樹脂が固化し、これで固定接触子４が絶縁基板９に対して所定の組立位置に固定支持される。
【特許文献１】特開平３−２３３８２３号公報（図１７）
【発明の開示】
【発明が解決しようとする課題】
【０００４】
ところで、前記した従来の端子支持構造のままでは、支持強度面で次記のような問題がある。すなわち、先記のプラグイン形電磁継電器は、本体ケースを手に持って端子をソケットに差し込む際に受ける抵抗力で基板から突き出ている端子が奥に引っ込まないようにするために、絶縁基板に対して端子を所定の支持強度（「引抜強度」と呼称する）を規定して製品の品質管理を行うようにしている。
しかしながら、先記した端子の組立工程で絶縁基板を加熱炉で熱変形温度に加熱する際に、炉内温度の変動が原因で絶縁基板が熱変形温度以上まで加熱されずにそのまま炉外に取り出し、続く工程で端子を角穴に圧入すると、端子側縁に形成した圧入突起４ｂが角穴９ａの内面を削りながら押し込まれ、絶縁基板９が常温に戻った状態では突起４ｂが角穴９の内面に食い込まなくなる。このような状態になると、絶縁基板９と固定接触子４との間に所定の引抜強度が確保されず、このままでは継電器をソケットにプラグインする際に端子が定位置から後退してソケットに正しく接続することができず、製品の信頼性が低下してしまう。なお、このような問題の対策として、各端子を絶縁基板にインサート成形して一体化することが考えられるが、図２に示した双接点形の電磁継電器では常閉，常開固定接触子には高い組立精度が要求され、インサート成形法ではモールド金型内に注入した成形樹脂の流動でインサート部品の位置が微妙にずれるなどの問題があるため、現状では圧入支持方式を採用している。
【０００５】
本発明は上記の点に鑑みなされたものであり、端子側に簡単な突起を追加形成することで、絶縁基板に対して所要の引抜強度が確保できるように端子支持構造を改良した電磁継電器を提供することを目的とする。
【課題を解決するための手段】
【０００６】
上記目的を達成するために、本発明によれば、電磁石部,可動接触子,固定接触子を絶縁基板上に搭載し、該絶縁基板を貫通して前記各部品の端子を基板の裏面側に引き出した組立構造になるプラグイン形電磁継電器で、前記端子を絶縁基板に開口した角穴に圧入して組立位置に固定支持するようにしたものにおいて、
前記端子に対して、その側縁に絶縁基板の角穴内面に食い込んで係合する圧入突起を形成するとともに、さらに板面上には端子を角穴に圧入した組立状態で絶縁基板の裏面側に露出して角穴の開口縁に係合する位置に第２の突起を形成するものとし（請求項１）、ここで前記第２の突起は、端子の先端側に向けてテーパー面を形成した台形突起とする（請求項２）。
【発明の効果】
【０００７】
上記の構成により、端子を絶縁基板の角穴に圧入した組立状態では、第２の突起が絶縁基板の裏面側に露出して角穴の開口縁に係合し、この突起が電磁継電器をソケットにプラグインする際の端子の抜け止め部位として機能する。したがって、端子の組立工程で絶縁基板の加熱温度不足が原因で基板の角穴に圧入した端子側縁の圧入突起が角穴の内面に十分食い込んでない場合でも、第２の突起がこれを補って所要の引抜強度を確保できる。
しかも、第２の突起をテーパー状の台形形状としたことで、端子を絶縁基板の角穴に圧入する際に角穴の内面を削ることなく突起が角穴を通り抜けることができる。
【発明を実施するための最良の形態】
【０００８】
以下、本発明の実施の形態を図１（ａ）〜（ｅ）に示す実施例に基づいて説明する。
図示実施例においては、図３の従来端子構造で端子導体（固定接触子４）の左右側縁に形成した圧入突起４ｂに加えて、端子の板面（表裏のいずれか一方の板面）には新たに第２の突起４ｃが形成されている。この突起４ｃは高さ０．１mm程度の微小な突起で、その形状は図１（ｄ）に示すように端子の先端側に向けてテーパー面をなす断面三角形の台形突起であり、所定の端子組立位置で絶縁基板９の下面側に露出して角穴９ａ開口縁に係合するような位置に形成されている。
そして、図３で述べたと同様な方法で絶縁基板９の角穴９ａに上方から圧入すると、図１で示すように圧入突起４ｂが角穴９ａの内面に食い込むとともに、第２の突起４ｃが絶縁基板９の裏面側に抜け出て角穴９ａの開口縁に対向するようになる。なお、第２の突起９ｃは端子先端に向けてテーパー面が形成されており、かつ端子導体と角穴９ａとの間に僅かなクリアランスがあるので、第２の突起は大きな抵抗力を受けたり、角穴内面を削ったりすることなく絶縁基板９の角穴９ａを通り抜けることができる。
【０００９】
この端子組立状態では、圧入方向と逆方向（図１（ｅ）の矢印Ｐ）の外力に対して第２の突起４ｃが角穴９ａに係合して端子が矢印Ｐ方向に抜けるのを阻止するように機能する。したがって、端子の組立工程で絶縁基板９の加熱温度不足が原因で基板の角穴９ａに圧入した端子側縁の圧入突起４ｂが角穴９ａの内面に十分食い込んでない場合でも、第２の突起４ｃがこれを補って所要の引抜強度を確保できる。
【図面の簡単な説明】
【００１０】
【図１】本発明の実施例による端子組立構造を表す図で、（ａ）は絶縁基板に固定接触子を組み付けた状態の側面図、（ｂ）は絶縁基板貫通部の拡大断面図、（ｃ）は（ｂ）の側面図、（ｄ）は端子の突起形成部分の拡大斜視図、（ｅ）は（ｃ）におけるＡ部の拡大図
【図２】電磁継電器の全体構造を表す斜視図
【図３】図２における従来の端子取付構造を表す図で、（ａ）は絶縁基板に固定接触子を組み付けた状態の側面図、（ｂ）は絶縁基板の平面図、（ｃ）は絶縁基板貫通部の拡大断面図、（ｃ）は端子導体の側面図
【符号の説明】
【００１１】
１    電磁石部
２    可動接触子
４，５  固定接触子
４ａ，５ａ  固定接点
４ｂ  圧入突起
４ｃ  第２の突起
６    共通端子
８    コイル端子
９    絶縁基板
９ａ  角穴
１０    カバー
【図１】
2007073250.tif 000003
【図２】
2007073250.tif 000004
【図３】
2007073250.tif 000005